(57)【要約】【課題】スケルトンバケットの底板部と側板部とが当接する隅部に土砂等の処理物が堆積付着しにくいようにし、堆積物の掻き落とし清掃などの作業の必要性を除く。【解決手段】スケルトンバケット２が、断面Ｕ字形状に形成されＵ字の曲がり方向の一側に切刃４を有した底板部６と、底板部６の曲がり方向に直交する幅方向の両側それぞれに接合された一対の側板部８，８を備え、底板部６および側板部８がそれぞれ複数の桝目ＴＭ、ＳＭを備えている。【選択図】図１
2010248752.tif 000002
【特許請求の範囲】
【請求項１】
断面Ｕ字形状に形成されＵ字の曲がり方向の一側に切刃を有した底板部と、
底板部の曲がり方向に直交する幅方向の両側それぞれに接合された一対の側板部と、を備え、
底板部および側板部がそれぞれ複数の桝目を備えている、
ことを特徴とするスケルトンバケット。
【請求項２】
側板部が、
底板部の桝目と略同じ大きさの桝目を備えている、
ことを特徴とする請求項１記載のスケルトンバケット。
【請求項３】
底板部の幅方向中央部の弧状部分の外側に、弧状部分に沿って接合され、スケルトンバケットを作業機に取り付けるためのフックを有した略矩形円弧状の背面板を備えている、
ことを特徴とする請求項２記載のスケルトンバケット。
【発明の詳細な説明】
【技術分野】
【０００１】
本発明は、スケルトンバケット、さらに詳しくは、バケットの中の土砂などの残留を減らすことができるスケルトンバケットに関する。
【背景技術】
【０００２】
ホイールローダ、油圧ショベルなどの作業機に取り付けられるバケットの一つとして、底板に多数の桝目を備え、すくい込んだ土砂、解体物などを「ふるい」のように分別することができるスケルトンバケットが実用されている（例えば、特許文献１参照）。
【０００３】
このスケルトンバケットは、桝目を有し断面Ｕ字形状に形成された底板部と、底板部の幅方向両側を塞ぐ側板部を備えている。
【先行技術文献】
【特許文献】
【０００４】
【特許文献１】特開２００５−２００９１１号公報（図１）
【発明の概要】
【発明が解決しようとする課題】
【０００５】
上述のような従来のスケルトンバケットには、次のとおりの解決すべき課題がある。
【０００６】
すなわち、底板部と側板部が当接する隅部に、土砂等の処理物が付着堆積してしまうことがあり、処理物を適切に扱うことができなくなる。そのため、付着堆積した処理物の掻き落とし清掃などの作業が必要になる。
【０００７】
本発明は上記事実に鑑みてなされたもので、その技術的課題は、スケルトンバケットの底板部と側板部とが当接する隅部に土砂等の処理物が堆積付着しにくいようにし、堆積物の掻き落とし清掃などの作業の必要性を除くことができるようにした、スケルトンバケットを提供することである。
【課題を解決するための手段】
【０００８】
本発明によれば上記技術的課題を解決するスケルトンバケットとして、断面Ｕ字形状に形成されＵ字の曲がり方向の一側に切刃を有した底板部と、底板部の曲がり方向に直交する幅方向の両側それぞれに接合された一対の側板部と、を備え、底板部および側板部がそれぞれ複数の桝目を備えている、ことを特徴とするスケルトンバケットが提供される。
【０００９】
好適には、側板部は、底板部の桝目と略同じ大きさの桝目を備えている。そして、底板部の幅方向中央部の弧状部分の外側に、弧状部分に沿って接合され、スケルトンバケットを作業機に取り付けるためのフックを有した略矩形円弧状の背面板を備えている。
【発明の効果】
【００１０】
本発明に従って構成されたスケルトンバケットは、断面Ｕ字形状の底板部とその両側に接合された側板部の両方に桝目を備えている。したがって、バケット内の土砂等の処理物は、底板部の桝目とともに側板部の桝目からも放出されるので、底板部と側板部との当接する隅部に土砂等の処理物の付着堆積をしにくくすることができ、付着堆積物の掻き落とし清掃などの作業の必要性を除くことができる。
【図面の簡単な説明】
【００１１】
【図１】本発明に従って構成されたスケルトンバケットの斜視図。
【図２】図１の矢印Ａ方向に見た側面図。
【図３】図２の矢印Ｂ方向に見た背面図。
【図４】図３の矢印Ｃ方向に見た下面図。
【図５】図３の矢印Ｄ方向に見た上面図。
【図６】図２の矢印Ｅ方向に見た正面図。
【図７】図１に示すスケルトンバケットを取り付けた作業機であるホイールローダの側面図。
【発明を実施するための形態】
【００１２】
以下、本発明に従って構成されたスケルトンバケットについて、好適実施形態を図示している添付図面を参照して、さらに詳細に説明する。
【００１３】
図１および図２を参照して説明する。全体を番号２で示すスケルトンバケットは、断面Ｕ字形状に形成されＵ字の曲がり方向の一側に切刃４を有した底板部６と、底板部６の曲がり方向に直交する幅方向（図１に矢印Ｘで示す）の両側それぞれに接合された一対の側板部８，８を備え、底板部６および側板部８，８はそれぞれ複数の桝目ＴＭ、ＳＭを備えている。切刃４には、着脱自在な切刃であるカッティングエッジ５がボルト、ナットによって取り付けられている。
【００１４】
スケルトンバケット２は、着脱自在なカッティングエッジ５以外は、鋼製の部材を溶接接合して形成されている。また、側板部８の桝目ＳＭは、底板部６の桝目ＴＭと略同じ大きさに形成されている。
【００１５】
底板部６の幅Ｘ方向中央部の弧状部分の外側には、弧状部分に沿って接合され、スケルトンバケット２を作業機に取り付けるための一対のフック１０を有した略矩形円弧状の背面板１２が備えられている。
【００１６】
図１，図２とともに図３〜図６を参照して説明する。底板部６は、幅Ｘ方向に所定の間隔で平行に配設された複数（実施例では１０個）の平板材をＵ字形状に切断し形成された縦リブ１４と、縦リブ１４のＵ字の曲げ方向に所定の間隔で平行に配設され、丸棒材によって形成され、縦リブ１４を貫通し両端が一対の側板部８，８に当接し接合された複数（実施例では６個）の横バー１６を備えている。
【００１７】
切刃４は、幅Ｘ方向に延び一対の側板部８，８に両端部が接合された長方形に形成されている。複数の縦リブ１４の長手方向の一端はこの切刃４の上に接合され、他端はスケルトンバケット２の上部を形成する幅Ｘ方向に延びた、こぼれ止め板であるスピルプレート１８の上に接合されている。
【００１８】
底板部６の複数の桝目ＴＭは、切刃４とスピルプレート１８の間に、基本的に、縦リブ１４と横バー１６によって区画された大きさに形成されている。
【００１９】
側板部８は、Ｕの字の端部を直線で閉じた輪郭の側板２０を備え、側板２０の直線の部分にはその全長にわたって側部切刃２２が備えられている。
【００２０】
側板２０には、底板部６の桝目ＴＭと実質的に同じ大きさの桝目ＳＭが複数、側部切刃２２に平行にそして直角の方向に整列し、溶断によりあるいは適宜の手段によって開口されている。底板部６に隣接した一部の桝目ＳＭは、底板部６の形状に合わせて輪郭が修正されている。
【００２１】
背面板１２は、矩形の幅Ｘ方向長さが複数の縦リブ１４（実施例では６個、図６参照）に重ねられ、幅Ｘ方向に所定の間隔で一対のフック１０，１０が立設される大きさに形成されている。背面板１２の円弧状の一端スピルプレート１８側はスピルプレート１８に当接接合され、他端には一対のフック１０，１０の間に、桝目ＴＭを配置した凹状部１３（図４）が形成されている。
【００２２】
フック１０は平板材によって形成され、スケルトンバケット２を作業機の周知のクイックカプラ装置に連結するための、鉤状部１０ａが一端（スピルプレート１８側）に、ピン穴１０ｂが他端に形成されている。
【００２３】
図７は、作業機であるホイールローダ２４にスケルトンバケット２を取り付けた状態を示している。スケルトンバケット２は、運転室２６において操縦操作される作業腕装置２８の先端に、急速着脱装置であるクイックカプラ装置３０を介して取り付けられている。ホイールローダ２４は、作業の形態などに応じて、クイックカプラ装置３０によってスケルトンバケット２を他のバケットあるいは作業装置に任意に替え、作業を効率よく遂行することができる。
【００２４】
上述したとおりのスケルトンバケット２の作用効果について説明する。
【００２５】
スケルトンバケット２は、断面Ｕ字形状の底板部６とその両側に接合された側板部８の両方に桝目ＴＭ、ＳＭを備えている。したがって、バケット２内の土砂等の処理物は、底板部６の桝目ＴＭとともに側板部８の桝目ＳＭからも放出されるので、底板部６と側板部８との当接する隅部に土砂等の処理物の付着堆積をしにくくすることができ、付着堆積物の掻き落とし清掃などの作業の必要性を除くことができる。
【００２６】
また、側板部８は、底板部６の桝目ＴＭと略同じ大きさの桝目ＳＭを備えている。したがって、スケルトンバケット２によって均質な「ふるい」作業を行うことができる。
【００２７】
さらに、底板部６の幅Ｘ方向中央部の弧状部分の外側に、弧状部分に沿って接合されスケルトンバケット２を作業機に取り付けるためのフック１０を有した略矩形円弧状の背面板１２を備えている。バケット内の処理物は、この中央部の背面板１２によって左右に分散されるので、バケット全体によって均質の「ふるい」作業を行うことができる。また、背面板１２は、底板部６の幅Ｘ方向中央部の弧状部分の外側に複数の縦リブ１４に接合されるので、スケルトンバケット２の強度そして耐久性を向上させることができる。
【符号の説明】
【００２８】
２：スケルトンバケット
４：切刃
６：底板部
８：側板部
１０：フック
１２：背面板
ＴＭ：桝目
ＳＭ：桝目
【図１】
2010248752.tif 000003
【図２】
2010248752.tif 000004
【図３】
2010248752.tif 000005
【図４】
2010248752.tif 000006
【図５】
2010248752.tif 000007
【図６】
2010248752.tif 000008
【図７】
2010248752.tif 000009